(57)【要約】【課題】複数の現像剤搬送部を設けた場合であっても、トナー飛散の少ない、現像装置、プロセスカートリッジ、及び、画像形成装置を提供する。【解決手段】キャリアとトナーとを有する現像剤を収容するとともに像担持体２１上に形成される潜像を現像する現像装置２３であって、装置２３内に収容された現像剤を搬送して循環経路を形成する複数の現像剤搬送部Ｂ１〜Ｂ３と、複数の現像剤搬送部Ｂ１〜Ｂ３のうち内圧が高くなる現像剤搬送部Ｂ２と内圧が低くなる現像剤搬送部Ｂ１との間の通気をおこなう通気手段２３ｅ、２３ｐ、２３ｑと、を備える。【選択図】図３
2008233834.tif 000002
【特許請求の範囲】
【請求項１】
キャリアとトナーとを有する現像剤を収容するとともに、像担持体上に形成される潜像を現像する現像装置であって、
装置内に収容された現像剤を搬送して循環経路を形成する複数の現像剤搬送部と、
前記複数の現像剤搬送部のうち内圧が高くなる現像剤搬送部と内圧が低くなる現像剤搬送部との間の通気をおこなう通気手段と、
を備えたことを特徴とする現像装置。
【請求項２】
前記像担持体に対向するとともに、現像剤を担持する現像剤担持体を備え、
前記複数の現像剤搬送部は、前記現像剤担持体に対向するとともに当該現像剤担持体に現像剤を長手方向に搬送しながら供給する第１現像剤搬送部と、前記第１現像剤搬送部の下方であって前記現像剤担持体に対向する位置に配設されるとともに当該現像剤担持体から離脱された現像剤を長手方向に搬送する第２現像剤搬送部と、前記第２現像剤搬送部によって搬送された現像剤を前記第１現像剤搬送部の上流側に搬送するとともに前記第１現像剤搬送部の下流側に達した現像剤を当該第１現像剤搬送部の上流側に搬送する第３現像剤搬送部と、であることを特徴とする請求項１に記載の現像装置。
【請求項３】
前記通気手段は、前記第１現像剤搬送部と前記第３現像剤搬送部とに連通する第１通気経路と、前記第２現像剤搬送部と前記第３現像剤搬送部とに連通する第２通気経路と、であることを特徴とする請求項２に記載の現像装置。
【請求項４】
前記第１通気経路及び前記第２通気経路は、装置内に収容された現像剤に埋没しない位置に配設されたことを特徴とする請求項３に記載の現像装置。
【請求項５】
前記第３現像剤搬送部は、上流側における現像剤の剤面から上壁部までの高さが下流側における現像剤の剤面から上壁部までの高さよりも低くなるように形成された内圧調整部を具備したことを特徴とする請求項２〜請求項４のいずれかに記載の現像装置。
【請求項６】
前記第２通気経路は、前記第２現像剤搬送部と前記第３現像剤搬送部とを隔絶する壁部に設けた開口であって、
前記内圧調整部は、前記開口に対して前記第３現像剤搬送部における現像剤の搬送方向下流側に配設されたことを特徴とする請求項５に記載の現像装置。
【請求項７】
前記第３現像剤搬送部は、装置の外部に通じる通気孔と、前記通気孔を覆うフィルタと、を備えたことを特徴とする請求項２〜請求項６のいずれかに記載の現像装置。
【請求項８】
装置内に新たにキャリアを供給する供給手段と、
装置内に収容された現像剤の一部を外部に排出する排出手段と、
前記排出手段が配設された位置を通過させずに現像剤の一部を循環経路の上流側に戻すためのバイパス経路と、
をさらに備え、
前記バイパス経路は、前記通気手段の一部であることを特徴とする請求項１〜請求項７のいずれかに記載の現像装置。
【請求項９】
前記供給手段は、装置内に新たにトナーを前記キャリアとともに供給することを特徴とする請求項８に記載の現像装置。
【請求項１０】
画像形成装置の装置本体に対して着脱自在に設置されるプロセスカートリッジであって、
請求項１〜請求項９のいずれかに記載の現像装置と前記像担持体とが一体化されたことを特徴とするプロセスカートリッジ。
【請求項１１】
請求項１〜請求項９のいずれかに記載の現像装置と前記像担持体とを備えたことを特徴とする画像形成装置。
【発明の詳細な説明】
【技術分野】
【０００１】
この発明は、複写機、プリンタ、ファクシミリ、又は、それらの複合機等の電子写真方式を用いた画像形成装置とそこに設置される現像装置及びプロセスカートリッジとに関し、特に、現像剤の循環経路を形成する複数の現像剤搬送部が設けられた現像装置、プロセスカートリッジ、及び、画像形成装置に関するものである。
【背景技術】
【０００２】
従来から、複写機、プリンタ等の画像形成装置において、トナーとキャリアとからなる２成分現像剤（添加剤等を添加する場合も含むものとする。）を収容した現像装置に、複数の現像剤搬送部を設けて、現像剤を長手方向に循環しながら現像工程をおこなう技術が知られている（例えば、特許文献１参照。）。
【０００３】
詳しくは、現像装置には、第１現像剤搬送部（第１のスクリューオーガが設置された搬送部）と、第２現像剤搬送部（第２のスクリューオーガが設置された搬送部）と、第３現像剤搬送部（第３のスクリューオーガが設置された搬送部）と、が設けられている。第１現像剤搬送部は、現像剤担持体（現像マグネットローラ）に対向するとともに、現像剤担持体に現像剤を長手方向（現像剤担持体の回転軸方向である。）に搬送しながら供給する。第２現像剤搬送部は、第１現像剤搬送部の下方であって現像剤担持体に対向する位置に配設されるとともに、現像剤担持体から離脱された現像剤を長手方向に搬送する。第３現像剤搬送部は、第２現像剤搬送部によって搬送された現像剤を第１現像剤搬送部の上流側に搬送するとともに、第１現像剤搬送部の下流側に達した現像剤を第１現像剤搬送部の上流側に搬送する。
すなわち、第１現像剤搬送部は現像剤担持体に現像剤を供給する機能を有し、第２現像剤搬送部は現像剤担持体から現像剤を回収する機能を有し、第３現像剤搬送部は第１現像剤搬送部の上流側への循環経路を形成する機能を有する。
【０００４】
このような現像装置は、長手方向の循環経路を形成しているために、現像剤の長手方向の偏りが少なく、現像剤を効率よく充分に混合・撹拌できるとともに、装置の短手方向（長手方向に直交する方向である。）の大きさを比較的小さく形成できることが知られている。特に、現像剤担持体に対向する、現像剤供給用の第１現像剤搬送部と、現像剤回収用の第２現像剤搬送部と、を設けることで、装置内における現像剤のスムーズな流動が促進される。
【０００５】
【特許文献１】特開２００１−２４９５４５号公報
【発明の開示】
【発明が解決しようとする課題】
【０００６】
上述した特許文献１等の現像装置は、現像装置外にトナーが飛散して、画像形成装置内を汚したり、飛散したトナーによって出力画像上に汚れが生じたりする不具合があった。特に、現像剤担持体から離脱した現像剤を回収する第２現像剤搬送部からのトナー飛散は無視できないものになっていた。
【０００７】
これは、複数の現像剤搬送部がそれぞれ壁部によって隔絶されていて、それぞれで内圧の変動が生じているためである。
具体的に、第２現像剤搬送部では、現像剤担持体の回転にならって吸い込み気流が生じて、内圧が外圧に比べて高くなる（正圧である。）。これにより、第２現像剤搬送部内に浮遊するトナーが、装置の隙間（例えば、現像剤担持体の長手方向両端部の隙間である。）から噴き出すように飛散してしまう。
また、第１現像剤搬送部では、現像剤担持体の回転にならって吐き出し気流が生じて、内圧が外圧に比べて低くなる（負圧である。）。これにより、第１現像剤搬送部から他の現像剤搬送部への現像剤の受け渡し効率が低下して、余剰のトナーが装置外に飛散してしまう。
これらの現象は、現像剤担持体や、現像剤搬送部に設置された搬送部材、の回転数が高くなる高速機（記録媒体の単位時間当りの出力枚数が多い画像形成装置である。）では、特に無視できない問題になる。
【０００８】
この発明は、上述のような課題を解決するためになされたもので、複数の現像剤搬送部を設けた場合であっても、トナー飛散の少ない、現像装置、プロセスカートリッジ、及び、画像形成装置を提供することにある。
【課題を解決するための手段】
【０００９】
この発明の請求項１記載の発明にかかる現像装置は、キャリアとトナーとを有する現像剤を収容するとともに、像担持体上に形成される潜像を現像する現像装置であって、装置内に収容された現像剤を搬送して循環経路を形成する複数の現像剤搬送部と、前記複数の現像剤搬送部のうち内圧が高くなる現像剤搬送部と内圧が低くなる現像剤搬送部との間の通気をおこなう通気手段と、を備えたものである。
【００１０】
また、請求項２記載の発明にかかる現像装置は、前記請求項１に記載の発明において、前記像担持体に対向するとともに、現像剤を担持する現像剤担持体を備え、前記複数の現像剤搬送部を、前記現像剤担持体に対向するとともに当該現像剤担持体に現像剤を長手方向に搬送しながら供給する第１現像剤搬送部と、前記第１現像剤搬送部の下方であって前記現像剤担持体に対向する位置に配設されるとともに当該現像剤担持体から離脱された現像剤を長手方向に搬送する第２現像剤搬送部と、前記第２現像剤搬送部によって搬送された現像剤を前記第１現像剤搬送部の上流側に搬送するとともに前記第１現像剤搬送部の下流側に達した現像剤を当該第１現像剤搬送部の上流側に搬送する第３現像剤搬送部と、で構成したものである。
【００１１】
また、請求項３記載の発明にかかる現像装置は、前記請求項２に記載の発明において、前記通気手段を、前記第１現像剤搬送部と前記第３現像剤搬送部とに連通する第１通気経路と、前記第２現像剤搬送部と前記第３現像剤搬送部とに連通する第２通気経路と、で構成したものである。
【００１２】
また、請求項４記載の発明にかかる現像装置は、前記請求項３に記載の発明において、前記第１通気経路及び前記第２通気経路は、装置内に収容された現像剤に埋没しない位置に配設されたものである。
【００１３】
また、請求項５記載の発明にかかる現像装置は、前記請求項２〜請求項４のいずれかに記載の発明において、前記第３現像剤搬送部は、上流側における現像剤の剤面から上壁部までの高さが下流側における現像剤の剤面から上壁部までの高さよりも低くなるように形成された内圧調整部を具備したものである。
【００１４】
また、請求項６記載の発明にかかる現像装置は、前記請求項５に記載の発明において、前記第２通気経路は、前記第２現像剤搬送部と前記第３現像剤搬送部とを隔絶する壁部に設けた開口であって、前記内圧調整部は、前記開口に対して前記第３現像剤搬送部における現像剤の搬送方向下流側に配設されたものである。
【００１５】
また、請求項７記載の発明にかかる現像装置は、前記請求項２〜請求項６のいずれかに記載の発明において、前記第３現像剤搬送部は、装置の外部に通じる通気孔と、前記通気孔を覆うフィルタと、を備えたものである。
【００１６】
また、請求項８記載の発明にかかる現像装置は、前記請求項１〜請求項７のいずれかに記載の発明において、装置内に新たにキャリアを供給する供給手段と、装置内に収容された現像剤の一部を外部に排出する排出手段と、前記排出手段が配設された位置を通過させずに現像剤の一部を循環経路の上流側に戻すためのバイパス経路と、をさらに備え、前記バイパス経路を、前記通気手段の一部としたものである。
【００１７】
また、請求項９記載の発明にかかる現像装置は、前記請求項８に記載の発明において、前記供給手段は、装置内に新たにトナーを前記キャリアとともに供給するものである。
【００１８】
また、この発明の請求項１０記載の発明にかかるプロセスカートリッジは、画像形成装置の装置本体に対して着脱自在に設置されるプロセスカートリッジであって、請求項１〜請求項９のいずれかに記載の現像装置と前記像担持体とが一体化されたものである。
【００１９】
また、この発明の請求項１１記載の発明にかかる画像形成装置は、請求項１〜請求項９のいずれかに記載の現像装置と前記像担持体とを備えたものである。
【００２０】
なお、本願において、「プロセスカートリッジ」とは、像担持体を帯電する帯電部と、像担持体上に形成された潜像を現像する現像部（現像装置）と、像担持体上をクリーニングするクリーニング部とのうち、少なくとも１つと、像担持体とが、一体化されて、画像形成装置本体に対して着脱自在に設置されるユニットと定義する。
【発明の効果】
【００２１】
本発明は、複数の現像剤搬送部を設けた場合であっても、内圧が高くなる現像剤搬送部と内圧が低くなる現像剤搬送部との間の通気をおこなう通気手段を設けているために、トナー飛散の少ない、現像装置、プロセスカートリッジ、及び、画像形成装置を提供することができる。
【発明を実施するための最良の形態】
【００２２】
以下、この発明を実施するための最良の形態について、図面を参照して詳細に説明する。なお、各図中、同一又は相当する部分には同一の符号を付しており、その重複説明は適宜に簡略化ないし省略する。
【００２３】
実施の形態１．
図１〜図７にて、この発明の実施の形態１について詳細に説明する。
まず、図１にて、実施の形態１における画像形成装置全体の構成・動作について説明する。
書込み部２Ａ〜２Ｄは、画像情報に基いて帯電工程後の感光体ドラム２１（像担持体）に静電潜像を書き込むための装置である。書込み部２Ａ〜２Ｄは、ポリゴンミラー３Ａ〜３Ｄや光学素子４Ａ〜４Ｄ等を用いた光走査装置である。なお、書込み部として、光走査装置の替わりにＬＥＤアレイを用いることもできる。
給紙部６１は、記録紙、ＯＨＰ等の被転写材Ｐを格納して、画像形成時には被転写材Ｐを転写ベルト３０に向けて給送する。
【００２４】
転写ベルト３０は、被転写材Ｐをその表面に静電的に吸着させて搬送して感光体ドラム２１上に形成されたトナー像を被転写材Ｐ上に転写するための無端状ベルトであって、その外周面上に吸着ローラ６４とベルトクリーナ６５とを設けている。
転写ベルト３０を介して感光体ドラム２１に対向する転写ローラ２４は、芯金と芯金を被覆する導電性弾性層とを有する。転写ローラ２４の導電性弾性層は、ポリウレタンゴム、エチレン−プロピレン−ジエンポリエチレン（ＥＰＤＭ）等の弾性材料に、カーボンブラック、酸化亜鉛、酸化スズ等の導電性付与剤を配合分散して電気抵抗値（体積抵抗率）を中抵抗に調整した弾性体である。
【００２５】
定着部６６は、加熱ローラ６８および加圧ローラ６７を有し、被転写材Ｐ上のトナー像を圧力と熱とによって被転写材Ｐに定着させる。
転写ベルト３０に沿って縦方向に配設された４つのプロセスカートリッジ２０Ｙ、２０Ｃ、２０Ｍ、２０ＢＫは、それぞれ、イエロー、シアン、マゼンタ、ブラックのトナー像を形成するためのものである。
【００２６】
各プロセスカートリッジ２０Ｙ、２０Ｃ、２０Ｍ、２０ＢＫ上には、キャリア（磁性キャリア）と各色（イエロー、シアン、マゼンタ、ブラック）のトナー（トナー粒子）とを現像装置２３に供給する供給手段としての剤カートリッジ２８Ｙ、２８Ｃ、２８Ｍ、２８ＢＫが設置されている。
プロセスカートリッジ２０Ｙ、２０Ｃ、２０Ｍ、２０ＢＫ、及び、剤カートリッジ２８Ｙ、２８Ｃ、２８Ｍ、２８ＢＫは、転写ベルト３０を回転支軸を中心に開放して装置本体１から着脱することができる。
【００２７】
本実施の形態１の画像形成装置は、複写機及びプリンタとして機能する複合型の画像形成装置である。複写機として機能する場合には、スキャナから読み込まれた画像情報に対してＡ／Ｄ変換、ＭＴＦ補正、階調処理等の種々の画像処理が施されて書込みデータに変換される。プリンタとして機能する場合には、コンピュータ等から送信されるページ記述言語やビットマップ等の形式の画像情報に対して画像処理が施されて書込みデータに変換される。
【００２８】
画像形成時には、書込み部２Ａ〜２Ｄからプロセスカートリッジ２０ＢＫ、２０Ｍ、２０Ｃ、２０Ｙに対して、ブラック、マゼンタ、シアン、イエローの画像情報に応じた露光光がそれぞれ照射される。すなわち、各光源から発せられた露光光（レーザ光）がポリゴンミラー３Ａ〜３Ｄ、光学素子４Ａ〜４Ｄ等を通過して、各感光体ドラム２１上に照射される。これによって、各プロセスカートリッジ２０ＢＫ、２０Ｍ、２０Ｃ、２０Ｙの感光体ドラム２１（像担持体）上に、露光光に応じたトナー像が形成される。そして、このトナー像が、被転写材Ｐに転写されることになる。
【００２９】
給紙部６１から給送された被転写材Ｐは、レジストローラ６３の位置で一旦タイミングを合わせて、転写ベルト３０の位置に搬送される。転写ベルト３０の送入位置に配設された吸着ローラ６４は、電圧の印加によって送入された被転写材Ｐを転写ベルト３０に吸着させる。転写ベルト３０の矢印方向の走行にともない移動する被転写材Ｐは、各プロセスカートリッジ２０Ｙ、２０Ｃ、２０Ｍ、２０ＢＫの位置を順次通過して各色のトナー像が重ねて転写される。
【００３０】
カラーのトナー像が転写された被転写材Ｐは、転写ベルト３０から分離して定着部６６に達する。被転写材Ｐ上のトナー像は、加熱ローラ６８及び加圧ローラ６７に挟まれつつ加熱されることで被転写材Ｐ上に定着される。一方、被転写材Ｐが分離した後の転写ベルト３０表面は、その後にベルトクリーナ６５の位置に達して、その表面に付着したトナー等の汚れがクリーニングされる。
【００３１】
次に、画像形成装置におけるプロセスカートリッジ及び剤カートリッジについて詳述する。
なお、各プロセスカートリッジ２０Ｙ、２０Ｃ、２０Ｍ、２０ＢＫはほぼ同一構造であって、各剤カートリッジ２８Ｙ、２８Ｃ、２８Ｍ、２８ＢＫもほぼ同一構造であるために、図２にてプロセスカートリッジ及び剤カートリッジは符号のアルファベット（Ｙ、Ｃ、Ｍ、ＢＫ）を除して図示する。また、書込み部は符号のアルファベット（Ａ〜Ｄ）を除して図示する。
【００３２】
図２は、装置本体１に設置されたプロセスカートリッジ２０及び剤カートリッジ２８を示す拡大図である。図３は、プロセスカートリッジ２０に設置された現像装置２３を示す拡大図である。図４は、現像装置２３における循環経路を図３に示す矢印Ｘ方向から長手方向にみた断面図である。図５は、図４の現像装置２３における循環経路のＹ１−Ｙ１断面を示す断面図である。図６は、図４の現像装置２３における循環経路のＹ２−Ｙ２断面を示す断面図である。
【００３３】
図２に示すように、プロセスカートリッジ２０は、像担持体としての感光体ドラム２１、帯電部２２、現像装置２３（現像部）、クリーニング部２５が一体化されたものであって、キャリアの補給・排出を適宜におこなう現像方式が採用されている。
像担持体としての感光体ドラム２１は、負帯電の有機感光体であって、不図示の回転駆動機構によって反時計方向に回転駆動される。
【００３４】
帯電部２２は、芯金上に、ウレタン樹脂、導電性粒子としてのカーボンブラック、硫化剤、発泡剤等を処方した中抵抗の発泡ウレタン層をローラ状に形成した弾性を有する帯電ローラである。帯電部２２の中抵抗層の材質としては、ウレタン、エチレン−プロピレン−ジエンポリエチレン（ＥＰＤＭ）、ブタジエンアクリロニトリルゴム（ＮＢＲ）、シリコーンゴムや、イソプレンゴム等に抵抗調整のためにカーボンブラックや金属酸化物等の導電性物質を分散したゴム材や、またこれらを発泡させたものを用いることもできる。
クリーニング部２５は、感光体ドラム２１に摺接するクリーニングブラシ（又は、クリーニングブレード）が設置されていて、感光体ドラム２１上の未転写トナーを機械的に除去・回収する。
【００３５】
現像装置２３は、現像剤担持体としての２つの現像ローラ２３ａ１、２３ａ２が感光体ドラム２１に近接するように配置されていて、双方の対向部分には感光体ドラム２１と磁気ブラシとが接触する現像領域が形成される。現像装置２３内には、トナーＴとキャリアＣとからなる現像剤Ｇ（２成分現像剤）が収容されている。そして、現像装置２３は、感光体ドラム２１上に形成される静電潜像を現像する（トナー像を形成する。）。なお、現像装置２３の構成・動作については、後で詳しく説明する。
【００３６】
ここで、本実施の形態１における現像装置２３は、上述したキャリアの補給・排出を適宜におこなう現像方式のものであって、現像装置２３内に適宜に新品のキャリアＣ（現像剤Ｇ）が剤カートリッジ２８から供給されるとともに、劣化した現像剤Ｇが現像装置２３の外部に設置された剤貯留容器７０に向けて排出される。
図２を参照して、剤カートリッジ２８は、その内部に現像装置２３内に供給するための現像剤Ｇ（トナーＴ及びキャリアＣ）を収容している。そして、剤カートリッジ２８は、現像装置２３に新品のトナーＴを供給するトナーカートリッジとして機能するとともに、現像装置２３に新品のキャリアＣを供給する供給手段として機能する。具体的に、現像装置２３に設置された磁気センサ２６（図４を参照できる。）によって検知されるトナー濃度（現像剤Ｇ中のトナーの割合である。）の情報に基いて、シャッタ機構８０の開閉動作をおこなって、供給手段としての剤カートリッジ２８から現像装置２３内に向けて現像剤Ｇを適宜に供給する。
なお、本実施の形態１では、剤カートリッジ２８の現像剤Ｇにおける、キャリアＣに対するトナーＴの混合率（トナー濃度）が比較的高く設定されている。
【００３７】
供給手段としての供給管２９は、剤カートリッジ２８から供給される現像剤Ｇ（トナーＴ及びキャリアＣ）を現像装置２３内に確実に導くためのものである。すなわち、剤カートリッジ２８から排出された現像剤Ｇは、供給管２９を介して、現像装置２３内に供給される。
【００３８】
次に、感光体ドラム２１上でおこなわれる作像プロセスについて説明する。
図２を参照して、感光体ドラム２１が反時計方向に回転駆動されると、まず、帯電部２２の位置で感光体ドラム２１の表面が一様に帯電される。その後、帯電された感光体ドラム２１表面は、露光光Ｌの照射位置に達して、書込み部２による露光工程がおこなわれる。すなわち、露光光Ｌの照射によって感光体ドラム２１上を画像情報に応じて選択的に除電することで、照射されなかった非画像部の電位との差（電位コントラスト）を発生させて静電潜像を形成する。なお、この露光工程は、感光体ドラム２１の感光層中で電荷発生物質が光を受けて電荷を発生して、このうち正孔が感光体ドラム２１表面の帯電電荷と打ち消しあうものである。
【００３９】
その後、潜像が形成された感光体ドラム２１表面は、現像装置２３との対向位置に達する。感光体ドラム２１上の静電潜像は、現像ローラ２３ａ１、２３ａ２上の磁気ブラシと接触して、磁気ブラシ中の負帯電されたトナーＴが付着されて可視化される。
詳しくは、上方の現像ローラ２３ａ１の磁極による磁力で汲み上げられた現像剤Ｇは、ドクターブレード２３ｃによって適量化された後に、感光体ドラム２１との対向部である現像領域（２つの現像ローラ２３ａ１、２３ａ２と感光体ドラム２１との対向領域である。）に搬送される。現像領域において穂立ちされたキャリアＣが感光体ドラム２１を摺擦する。このとき、キャリアＣに混合されているトナーＴは、キャリアＣとの摩擦によって負帯電されている。これに対して、キャリアＣは正帯電されている。不図示の電源部から現像ローラ２３ａ１、２３ａ２に対して、所定の現像バイアスが印加される。これによって、現像ローラ２３ａ１、２３ａ２と感光体ドラム２１との間に電界が形成されて、負帯電されたトナーＴが電界によって感光体ドラム２１上の画像部にのみ選択的に付着してトナー像を形成する。
【００４０】
その後、トナー像が形成された感光体ドラム２１表面は、転写ベルト３０及び転写ローラ２４との対向位置に達する。そして、このタイミングに合わせてその対向位置に搬送された被転写材Ｐ上に、感光体ドラム２１上のトナー像が転写される。このとき、転写ローラ２４には、所定の電圧が印加されている。
その後、トナー像が転写された被転写材Ｐは、定着部６６を通過して、排出ローラ６９から装置外部に排出される。
【００４１】
一方、転写工程時に被転写材Ｐに転写されずに感光体ドラム２１上に残留したトナーＴ（未転写トナー）は、感光体ドラム２１上に付着したままクリーニング部２５との対向部に達する。そして、感光体ドラム２１上の未転写トナーは、クリーニング部２５で除去・回収される。
その後、感光体ドラム２１表面は、不図示の除電部を通過して、感光体ドラム２１における一連の作像プロセスが終了する。
【００４２】
以下、画像形成装置において特徴的な、現像装置の構成・動作について詳述する。
図３を参照して、現像装置２３は、現像剤担持体としての現像ローラ２３ａ１、２３ａ２、搬送部材としての搬送スクリュ２３ｂ１〜２３ｂ３（オーガスクリュ）、ドクターブレード２３ｃ、キャッチローラ２３ｋ、スクレーパ２３ｍ、排出スクリュ２３ｎ、等で構成されている。また、現像装置２３内には、現像剤Ｇを搬送して循環経路を形成する３つの現像剤搬送部Ｂ１〜Ｂ３が形成されている。
【００４３】
現像ローラ２３ａ１、２３ａ２は、アルミニウム、真鍮、ステンレス、導電性樹脂等の非磁性体を円筒形に形成してなるスリーブが不図示の回転駆動機構によって時計方向に回転されるように構成されている。現像ローラ２３ａ１、２３ａ２のスリーブ内には、スリーブの周面に現像剤Ｇの穂立ちを生じるように磁界を形成するマグネットが固設されている。マグネットから発せられる法線方向磁力線に沿うように、現像剤Ｇ中のキャリアＣがスリーブ上にチェーン状に穂立ちする。このチェーン状に穂立ちしたキャリアＣに帯電したトナーＴが付着されて、磁気ブラシが形成される。磁気ブラシは、スリーブの回転によってスリーブと同方向（時計方向）に移送される。
ドクターブレード２３ｃは、現像領域の上流側に設置されていて、現像ローラ２３ａ１上の現像剤を適量に規制する。
【００４４】
３つの搬送スクリュ２３ｂ１〜２３ｂ３は、現像装置２３内に収容された現像剤Ｇを長手方向（図２の紙面垂直方向である。）に循環しながら撹拌・混合する。
第１搬送スクリュ２３ｂ１（第１搬送部材）は、第１現像剤搬送部Ｂ１であって現像ローラ２３ａ１に対向する位置に配設されていて、現像剤Ｇを水平方向に搬送する（図４の白矢印に示す左方向の搬送である。）とともに、現像ローラ２３ａ１上に現像剤２３ａを供給する。換言すると、第１現像剤搬送部Ｂ１は、現像ローラ２３ａ１に対向するとともに、現像ローラ２３ａ１に現像剤Ｇを長手方向（現像ローラ２３ａ１の回転軸方向である。）に搬送しながら供給する。
【００４５】
第２搬送スクリュ２３ｂ２（第２搬送部材）は、第２現像剤搬送部Ｂ２に設置されている。第２搬送スクリュ２３ｂ２は、第１搬送スクリュ２３ｂ１の下方であって現像ローラ２３ａ２に対向する位置に配設されている。そして、現像ローラ２３ａ２から離脱した現像剤Ｇ（現像工程後に剤離れ極によって現像ローラ２３ａ２上から強制的に離脱された現像剤Ｇある。）を水平方向に搬送する（図４の白矢印に示す左方向の搬送である。）。換言すると、第２現像剤搬送部Ｂ２は、第１現像剤搬送部Ｂ１の下方であって現像ローラ２３ａ２に対向する位置に配設されるとともに、現像ローラ２３ａ２から離脱された現像剤Ｇを長手方向に搬送する。
第１搬送スクリュ２３ｂ１及び第２搬送スクリュ２３ｂ２は、現像ローラ２３ａ１、２３ａ２や感光体ドラム２１と同様に、回転軸がほぼ水平になるように配設されている。
【００４６】
第３搬送スクリュ２３ｂ３（第３搬送部材）は、第３現像剤搬送部Ｂ３に設置されている。第３搬送スクリュ２３ｂ３は、第２搬送スクリュ２３ｂ２による搬送経路の下流側と、第１搬送部材２３ｂ１による搬送経路の上流側と、を直線的に結ぶように、水平方向に対して斜めに配設されている（図４を参照できる。）。そして、第３搬送スクリュ２３ｂ３は、第２搬送スクリュ２３ｂ２によって搬送された現像剤Ｇを第１搬送部材２３ｂ１による搬送経路の上流側に搬送するとともに、第１搬送スクリュ２３ｂ１による搬送経路の下流側から落下経路２３ｆを介して循環される現像剤Ｇを第１搬送部材２３ｂ１による搬送経路の上流側に搬送する（図４の白矢印に示す右斜め上方への搬送である。）。換言すると、第３現像剤搬送部Ｂ３は、第２現像剤搬送部Ｂ２によって搬送された現像剤Ｇを第１現像剤搬送部Ｂ１の上流側に搬送するとともに、第１現像剤搬送部Ｂ１の下流側に達した現像剤Ｇを第１現像剤搬送部Ｂ１の上流側に搬送する。
【００４７】
なお、第１搬送スクリュ２３ｂ１による搬送経路（第１現像剤搬送部Ｂ１）と、第２搬送スクリュ２３ｂ２による搬送経路（第２現像剤搬送部Ｂ２）と、第３搬送スクリュ２３ｂ３による搬送経路（第３現像剤搬送部Ｂ３）と、は壁部によって隔絶されている。
図４を参照して、第２現像剤搬送部Ｂ２の下流側と、第３現像剤搬送部Ｂ３の上流側と、は第１中継部２３ｇを介して連通している。また、第３現像剤搬送部Ｂ３の下流側と、第１現像剤搬送部Ｂ１の上流側と、は第２中継部２３ｈを介して連通している。また、第１現像剤搬送部Ｂ１の下流側と、第３現像剤搬送部Ｂ３の上流側と、は落下経路２３ｆを介して連通している。
【００４８】
このような構成により、３つの現像剤搬送部Ｂ１〜Ｂ３（搬送スクリュ２３ｂ１〜２３ｂ３）によって、現像装置２３において現像剤Ｇを長手方向に循環させる循環経路が形成されることになる。ここで、現像装置２３が稼動されると、装置内に収容された現像剤は図４中の斜線で示すような状態で流動する。図４を参照して、第１現像剤搬送部Ｂ１において、下流側における現像剤の剤面が上流側の剤面に比べて低くなっているのは、搬送中の現像剤の一部が現像ローラ２３ａ１に供給されているためである。すなわち、現像ローラ２３ａ１に供給されなかった現像剤は、落下経路２３ｆを介して第３現像剤搬送部Ｂ３の上流側に移動することになる。
なお、第３現像剤搬送部Ｂ３にはトナー濃度センサとしての磁気センサ２６が設置されている。そして、磁気センサ２６によって検知されるトナー濃度の情報に基いて、供給手段としての剤カートリッジ２８から現像装置２３内に向けて所定のトナー濃度の現像剤Ｇが供給される。
【００４９】
ここで、図４及び図５を参照して、第１現像剤搬送部Ｂ１中には、現像装置２３内に収容された現像剤Ｇの一部を外部（剤貯溜容器７０）に排出する排出手段としての排出口２３ｄが設けられている。詳しくは、排出口２３ｄは、供給手段２８、２９によって現像装置２３内に現像剤Ｇが供給されて装置内の現像剤量が増加してその位置に搬送される現像剤の剤面（上面）が所定高さを超えたときに、その余剰分の現像剤Ｇを剤貯留容器７０に向けて排出するためのものである。すなわち、余剰分の現像剤Ｇは、排出口２３ｄの下部の高さを超えて、排出口２３ｄから排出されて排出経路７１を経由して剤貯留容器７０に向けて重力落下していく。このように、トナーＴの母体樹脂や外添剤によって汚染されて劣化したキャリアが自動的に現像部の外部に排出されるので、経時においても画像品質の劣化を抑止することができる。
なお、図２、図４等では図示を省略しているが、排出経路７１中には、排出口２３ｄから排出された現像剤を水平方向に搬送するための排出スクリュ２３ｎが設置されている（図３を参照できる。）。
【００５０】
また、現像装置２３における現像剤の循環経路において、上述した排出口２３ｄ（排出手段）が配設された位置を通過せずに現像剤Ｇの一部を循環経路の上流側に戻すためのバイパス経路が形成されている。具体的には、図４及び図６を参照して、第１現像剤搬送部Ｂ１であって、排出口２３ｄの上流側（排出口２３ｄに比較的近接した位置である。）に、開口２３ｅ（第１の開口）が設けられている。そして、この開口２３ｅがバイパス経路の入口となって、バイパス経路の出口となる開口２３ｐ（第２の開口であって、図３を参照できる。）が第３搬送スクリュ２３ｂ３による搬送経路中（長手方向中央近傍である。）に配設されている。
【００５１】
このように、現像装置２３における現像剤の循環経路にバイパス経路を設けることで、現像装置内の現像剤に波状の偏り等が生じても、排出口２３ｄから排出される現像剤量にバラツキが生じて、必要量を超えた現像剤が現像装置２３から排出される不具合を抑止することができる。
【００５２】
図７は、現像装置２３における現像剤の循環経路において、現像剤に波状の偏りが生じた状態を示す図である。このように、現像剤の循環経路では、高低差の大きな波状の偏りが生じる場合がある。このような波状の偏りは、現像装置２３の稼動を開始した直後（再起動直後）に顕著にあらわれる。そして、このような波状の偏りが生じた場合には、従来は、排出口２３ｄの下部よりも高い位置にある現像剤（図７中の高さＨ２の現像剤である。）のすべてが排出口２３ｄから排出されてしまっていた。このようにして排出されてしまう現像剤は本来的に排出を予定していないものであるために、このような現象が繰り返し生じると現像装置２３内の現像剤量が不足してしまい、現像剤の劣化状態が不安定になったりトナーの帯電量が低下したりして、出力画像上に画像濃度低下等の不具合が生じてしまうことになる。
【００５３】
これに対して、本実施の形態１では、排出口２３ｄの上流側にバイパス経路に通じる開口２３ｅを設けているために、排出口２３ｄの下部よりも高い位置にある現像剤の一部が排出口２３ｄから排出されることなく、開口２３ｅを通じて第３搬送スクリュ２３ｂ３における搬送経路に戻されることになる。これにより、排出口２３ｄから過剰に現像剤が排出される不具合を抑止することができる。
【００５４】
ここで、バイパス経路における開口２３ｅの下部の高さが、排出口２３ｄの下部の高さよりも高さＨ１だけ高くなるように構成されている。
これにより、排出口２３ｄの下部よりも高い位置にある現像剤のうち、高さ（Ｈ２−Ｈ１）分の現像剤は排出口２３ｄから排出されることなく、開口２３ｅを通じて第３搬送スクリュ２３ｂ３における搬送経路に戻されることになる。これにより、排出手段の本来の機能を維持しつつ、排出口２３ｄから過剰に現像剤が排出される不具合を確実に抑止することができる。ここで、排出口２３ｄと開口２３ｅとの長手方向の距離Ｗは、なるべく短い方が好ましい。
なお、本実施の形態１では、バイパス経路２３ｅ、２３ｐが、複数の現像剤搬送部Ｂ１〜Ｂ３間の通気をおこなう通気手段の一部として機能することになるが、これについては後で詳しく説明する。
【００５５】
ここで、図３を参照して（図２、図４等では図示を省略している。）、本実施の形態１では、第２の現像ローラ２３ａ２の下方であって、感光体ドラム２１に対向する位置に、キャッチローラ２３ｋが設置されている。さらに、キャッチローラ２３ｋに当接する位置に、スクレーパ２３ｍが設置されている。
キャッチローラ２３ｋは、ステンレス等からなる円筒体内に所定の磁界を形成するマグネットが固設されたものであって、現像工程後に感光体ドラム２１に付着したキャリアを捕集するためのものである。キャッチローラ２３ｋは、図３の反時計方向に回転駆動される。キャッチローラ２３ｋによって捕集されて担持されたキャリアは、スクレーパ２３ｍによって機械的に掻き取られて、第２現像剤搬送部Ｂ２内に回収される。このように、キャッチローラ２３ｋを設置することで、感光体ドラム２１上へのキャリア付着が軽減されるとともに、現像装置２３内のキャリアが不足する不具合が抑止される。
【００５６】
以下、本実施の形態１において特徴的な、現像装置の通気手段について詳述する。
図３を参照して、本実施の形態１における現像装置２３には、３つの現像剤搬送部Ｂ１〜Ｂ３のうち内圧が高くなる現像剤搬送部と内圧が低くなる現像剤搬送部との間の通気をおこなう通気手段としての開口２３ｅ、２３ｐ、２３ｑが設けられている。通気手段は、第１通気経路と第２通気経路とで構成される。
具体的に、上述したバイパス経路として機能する開口２３ｅ、２３ｐは第１現像剤搬送部Ｂ１と第３現像剤搬送部Ｂ３とに連通する第１通気経路として機能する。また、第３の開口２３ｑは、第２現像剤搬送部Ｂ２と第３現像剤搬送部Ｂ３とに連通する第２通気経路として機能する。
【００５７】
このような構成により、壁部によって隔絶された３つの現像剤搬送部Ｂ１〜Ｂ３で個別に生じる内圧変動を抑止することができる。
以下、詳しく説明する。
第２現像剤搬送部Ｂ２では、現像ローラ２３ａ２の回転にならって吸い込み気流が生じて、内圧が外圧に比べて高くなる（正圧である。）。これにより、第２現像剤搬送部Ｂ２内に浮遊するトナーが、装置の隙間（例えば、現像ローラ２３ａ２の長手方向両端部の隙間である。）から噴き出すように飛散してしまう。
また、第１現像剤搬送部Ｂ１では、現像ローラ２３ａ１の回転にならって吐き出し気流が生じて、内圧が外圧に比べて低くなる（負圧である。）。これにより、第１現像剤搬送部Ｂ１から第３現像剤搬送部Ｂ３への現像剤の受け渡し効率が低下して、余剰のトナーが装置外に飛散してしまう。具体的に、第１現像剤搬送部Ｂ１の下流側で補給されたトナーが、第１現像剤搬送部Ｂ１に逆流してしまい、その後に装置外に飛散してしまう。
これに対して、本実施の形態１では、第１現像剤搬送部Ｂ１と第３現像剤搬送部Ｂ３とを隔絶する壁部に開口２３ｅ、２３ｐ（第１通気経路）を設けて、第２現像剤搬送部Ｂ２と第３現像剤搬送部Ｂ３とを隔絶する壁部に開口２３ｑ（第２通気経路）を設けているために、３つの現像剤搬送部Ｂ１〜Ｂ３の内圧がほぼ平衡状態になる。
【００５８】
具体的に、第２通気経路２３ｑを介して、正圧状態にある第２現像剤搬送部Ｂ２からそれよりも低い内圧となっている第３現像剤搬送部Ｂ３に空気が流動する（白矢印方向の通気である。）。さらに、第１通気経路２３ｅ、２３ｐ（バイパス経路）を介して、第３現像剤搬送部Ｂ３から負圧状態にある第１現像剤搬送部Ｂ１に空気が流動する（黒矢印方向の通気である。）。
こうして、正圧状態にあった第２現像剤搬送部Ｂ２の内圧は外圧に近づき、負圧状態にあった第１現像剤搬送部Ｂ１の内圧も外圧に近づくことになる。したがって、第２現像剤搬送部Ｂ２の吸い込み気流と、第１現像剤搬送部Ｂ１の吐き出し気流と、がほぼ消失して、第１現像剤搬送部Ｂ１及び第２現像剤搬送部Ｂ２からのトナー飛散が軽減される。
【００５９】
なお、通気手段としての第１通気経路２３ｅ、２３ｐ及び第２通気経路２３ｑは、現像装置２３内に収容された現像剤Ｇに埋没しない位置に配設されることが好ましい。これにより、上述した通気手段の効果が確実なものになる。
【００６０】
以上説明したように、本実施の形態１では、複数の現像剤搬送部Ｂ１〜Ｂ３を設けた場合であっても、内圧が高くなる第２現像剤搬送部Ｂ２と内圧が低くなる第１現像剤搬送部Ｂ１との間の通気をおこなう開口２３ｅ、２３ｐ、２３ｑ（通気手段）を設けているために、現像装置２３からのトナー飛散を確実に軽減することができる。
【００６１】
なお、本実施の形態１では、現像剤搬送部Ｂ１〜Ｂ３が３つ設置された現像装置２３に対して本発明を適用したが、現像剤搬送部が２つ又は４つ以上設置された現像装置に対しても本発明を適用することができる。その場合も、内圧が異なる現像剤搬送部間を通気経路によって直接的又は間接的に結ぶことで、本実施の形態１と同様の効果を得ることができる。
また、本実施の形態１では、第３搬送スクリュ２３ｂ３を水平方向に対して斜めに配設したが、第３搬送スクリュ２３ｂ３を水平に配設することもできる。
【００６２】
また、本実施の形態１では、供給手段としての剤カートリッジ２８から現像装置２３に向けて現像剤Ｇ（トナーＴ及びキャリアＣ）を供給したが、供給手段からキャリアＣのみを現像装置２３に向けて供給することもできる。その場合、トナーのみが収容されたトナーカートリッジを剤カートリッジ（キャリアカートリッジ）とは別に設置して、磁気センサ２６の検知結果に基いてトナーカートリッジに収容されたトナーを現像装置２３に向けて適宜に補給することになる。このような場合であっても、本実施の形態１と同様の効果を得ることができる。
【００６３】
また、本実施の形態１においては、作像部の一部がプロセスカートリッジ２０で構成される画像形成装置に対して、本発明を適用した。しかし、本発明の適用はこれに限定されることなく、作像部がプロセスカートリッジ化されていない画像形成装置に対しても、当然に本発明を適用することができる。具体的に、現像装置２３が単体で画像形成装置本体に着脱されるユニットして構成されている場合であっても、当然に本発明を適用することができる。
さらに、本実施の形態１では、現像ローラ２３ａ１、２３ａ２が２つ設置された現像装置２３に対して本発明を適用したが、現像ローラが１つ又は３つ以上設置された現像装置に対しても当然に本発明を適用することができる。その場合にも、本実施の形態１と同様の効果を得ることができる。
【００６４】
実施の形態２．
図８にて、この発明の実施の形態２について詳細に説明する。
図８は、実施の形態２における現像装置の第３現像剤搬送部を図３のＸ方向からみた断面図である。本実施の形態２における現像装置は、第３現像剤搬送部Ｂ３に内圧調整部Ｎと通気孔２３ｒ及びフィルタ７５とが設けられている点が、前記実施の形態１のものとは相違する。
【００６５】
本実施の形態２における現像装置２３も、前記実施の形態１のものと同様に、現像装置２３内に収容された現像剤Ｇを搬送して循環経路を形成する３つの現像剤搬送部Ｂ１〜Ｂ３が設けられている。
【００６６】
ここで、本実施の形態２では、図８に示すように、上流側における現像剤の剤面から上壁部までの高さｈ１が下流側における現像剤の剤面から上壁部までの高さｈ２よりも低く（ｈ１＜ｈ２）なるように形成された内圧調整部Ｎが、第３現像剤搬送部Ｂ３に設けられている。ここで、内圧調整部Ｎは、第２通気経路としての開口２３ｑの近傍であって開口２３ｑの下流側（第３現像剤搬送部Ｂ３における現像剤の搬送方向下流側である。）に配設されている。
このような構成により、第３現像剤搬送部Ｂ３において、開口２３ｑを介して第２現像剤搬送部Ｂ２から流入した空気が、第１通気経路２３ｅ、２３ｐを介して第１現像剤搬送部Ｂ１に移動するとともに、内圧調整部Ｎによるポンプ作用（高さｈ１の領域から高さｈ２の領域に空気が押し出される動作である。）により第３現像剤搬送部Ｂ３の下流側に移動する。
したがって、第２現像剤搬送部Ｂ２の内圧上昇（内圧変動）が第１現像剤搬送部Ｂ１の内圧下降（内圧変動）に比べて高くて、第２現像剤搬送部Ｂ２の空気を第１現像剤搬送部Ｂ１に流動させるだけでは、双方の現像剤搬送部Ｂ１、Ｂ２の内圧が外圧に近づかない場合に、内圧調整部Ｎによって第３現像剤搬送部Ｂ３内で全体の内圧バランスが調整されるために双方の現像剤搬送部Ｂ１、Ｂ２の内圧が外圧に近づくことになる。これにより、現像装置２３からのトナー飛散が確実に軽減される。
【００６７】
なお、本実施の形態２では、内圧調整部Ｎによるポンプ作用により第３現像剤搬送部Ｂ３の下流側に移動した空気によって第３現像剤搬送部Ｂ３の内圧が上昇するのを抑止するために、現像装置２３の外部に通じる通気孔２３ｒと、通気孔２３ｒを覆うフィルタ７５と、が第３現像剤搬送部Ｂ３の上壁部に設けられている。なお、フィルタ７５は、第３現像剤搬送部Ｂ３からトナーを飛散させることなく空気のみを排出（又は吸引）できるように、トナーを確実に捕集できるものを用いることが好ましい。
【００６８】
以上説明したように、本実施の形態２でも、前記実施の形態１と同様に、複数の現像剤搬送部Ｂ１〜Ｂ３を設けた場合であっても、内圧が高くなる第２現像剤搬送部Ｂ２と内圧が低くなる第１現像剤搬送部Ｂ１との間の通気をおこなう開口２３ｅ、２３ｐ、２３ｑ（通気手段）を設けているために、現像装置２３からのトナー飛散を確実に軽減することができる。
【００６９】
実施の形態３．
図９にて、この発明の実施の形態３について詳細に説明する。
図９は、実施の形態３における現像装置を示す断面図である。本実施の形態３における現像装置は、第１現像剤搬送部Ｂ１と第２現像剤搬送部Ｂ２とを直接的に結ぶ通気経路２３ｓが設けられている点が、前記実施の形態１のものとは相違する。
【００７０】
本実施の形態３における現像装置２３も、前記実施の形態１のものと同様に、現像装置２３内に収容された現像剤Ｇを搬送して循環経路を形成する３つの現像剤搬送部Ｂ１〜Ｂ３が設けられている。
【００７１】
ここで、本実施の形態３では、図９に示すように、第１現像剤搬送部Ｂ１と第２現像剤搬送部Ｂ２とを直接的に連通させる通気経路２３ｓが設けられている。この通気経路２３ｓは、その両端の開口が現像装置２３内の現像剤に埋没しない位置に配設されていて、第１現像剤搬送部Ｂ１と第２現像剤搬送部Ｂ２との間の通気をおこなう通気手段として機能する。すなわち、通気経路２３ｓを介して、正圧状態にある第２現像剤搬送部Ｂ２から負圧状態にある第１現像剤搬送部Ｂ１に空気が流動する（矢印方向の通気である。）。
【００７２】
以上説明したように、本実施の形態３でも、前記実施の形態１と同様に、複数の現像剤搬送部Ｂ１〜Ｂ３を設けた場合であっても、内圧が高くなる第２現像剤搬送部Ｂ２と内圧が低くなる第１現像剤搬送部Ｂ１との間の通気をおこなう通気経路２３ｓ（通気手段）を設けているために、現像装置２３からのトナー飛散を確実に軽減することができる。
【００７３】
なお、本発明が前記各実施の形態に限定されず、本発明の技術思想の範囲内において、前記各実施の形態の中で示唆した以外にも、前記各実施の形態は適宜変更され得ることは明らかである。また、前記構成部材の数、位置、形状等は前記各実施の形態に限定されず、本発明を実施する上で好適な数、位置、形状等にすることができる。
【図面の簡単な説明】
【００７４】
【図１】この発明の実施の形態１における画像形成装置を示す全体構成図である。
【図２】図１の画像形成装置に設置されたプロセスカートリッジを示す拡大図である。
【図３】現像装置を示す拡大図である。
【図４】現像装置における循環経路を長手方向にみた断面図である。
【図５】図４の循環経路におけるＹ１−Ｙ１断面を示す断面図である。
【図６】図４の循環経路におけるＹ２−Ｙ２断面を示す断面図である。
【図７】図４の循環経路において現像剤に波状の偏りが生じた状態を示す図である。
【図８】この発明の実施の形態２における現像装置の第３現像剤搬送部を示す断面図である。
【図９】この発明の実施の形態３における現像装置を示す断面図である。
【符号の説明】
【００７５】
１  画像形成装置本体（装置本体）、
２０、２０Ｙ、２０Ｃ、２０Ｍ、２０ＢＫ  プロセスカートリッジ、
２１  感光体ドラム（像担持体）、
２３  現像装置（現像部）、
２３ａ１、２３ａ２  現像ローラ（現像剤担持体）、
２３ｂ１  第１搬送スクリュ、
２３ｂ２  第２搬送スクリュ、
２３ｂ３  第３搬送スクリュ、
２３ｃ  ドクターブレード、
２３ｄ  排出口（排出手段）、
２３ｅ、２３ｐ  開口（バイパス経路、第１通気経路）、
２３ｆ  落下経路、  ２３ｇ  第１中継部、  ２３ｈ  第２中継部、
２３ｋ  キャッチローラ、  ２３ｍ  スクレーパ、  ２３ｎ  排出スクリュ、
２３ｑ  開口（第２通気経路）、
２３ｒ  通気孔、  ２３ｓ  通気経路（通気手段）、
２８、２８Ｙ、２８Ｃ、２８Ｍ、２８ＢＫ  剤カートリッジ（供給手段）、
２９  供給管（供給手段）、  ７０  剤貯溜容器、
７５  フィルタ、
Ｂ１  第１現像剤搬送部、
Ｂ２  第２現像剤搬送部、
Ｂ３  第３現像剤搬送部、
Ｎ  内圧調整部、
Ｇ  現像剤（２成分現像剤）、  Ｔ  トナー、  Ｃ  キャリア。
【図１】
2008233834.tif 000003
【図２】
2008233834.tif 000004
【図３】
2008233834.tif 000005
【図４】
2008233834.tif 000006
【図５】
2008233834.tif 000007
【図６】
2008233834.tif 000008
【図７】
2008233834.tif 000009
【図８】
2008233834.tif 000010
【図９】
2008233834.tif 000011